(57)【特許請求の範囲】
【請求項１】
増速機の支持装置において、上記増速機の四隅部に、同一レベルに４本の支持脚が水平方向に突設され、同各支持脚が実質上同一長さに設定されるとともに同各支持脚の各先端部が上記増速機の支持台としての架台にそれぞれ防振ブッシュを介して取付けられており、上記４本の支持脚のうちの上記増速機の高速側の回転軸に関し対称に配設された２本の支持脚が、それぞれ取付け方向を同増速機の高速側の回転軸に対し傾けて同増速機に取付けられていることを特徴とする、増速機の防振支持装置。
【発明の詳細な説明】
【０００１】
【発明の属する技術分野】
本発明は、風力発電等に用いられる増速機の支持装置に関し、特に増速機を架台に防振的に支持するようにした防振支持装置に関する。
【０００２】
【従来の技術】
従来の防振支持構造について説明すると、図４〜６において符号１は増速機を示しており、増速機１の機械音（振動）を架台５に個体伝播させないために増速機１と架台５との間の全面にゴム板などの防振プレート９を敷設し、防振プレート９の上に増速機１を据付けて、機械音（振動）の個体伝播を減衰させる構造が採用されている。
【０００３】
図４中の符号６は発電機を示しており、発電機６の被動軸６ａは増速機１の出力軸１ａに接続されている。また、増速機１の架台５への取付けは、図６に示すように、増速機１のフランジ部１ｃを貫通する固定ボルト７を架台５のフランジ部５ａにワッシャ７ａ，ブッシュ８を介して締付けることにより行なわれる。
【０００４】
また、このほか図７〜９に示すように、増速機１の４カ所に支持脚２ａ〜２ｄと１カ所の位置決め用脚10とを設け、各支持脚２ａ〜２ｄをそれぞれ防振ブッシュ３を介して、また位置決め用脚10を位置決め用ブッシュ４を介して、それぞれ架台５上の取付け金具13, 14に取付けることにより、機械音の架台５への個体伝播を減衰させる構造のものも提案されている。
【０００５】
【発明が解決しようとする課題】
ところで、図４〜６に示した従来の防振支持構造のものでは、増速機１を架台５に締付ける固定ボルト７からも増速機１の機械音が架台５へ個体伝播されるため、個々の固定ボルト７についてもブッシュ８を介して増速機１を架台５へ固定する構造となっている。
【０００６】
さらに、弾性体製の防振プレート９は、単位当たり面積の面圧強度を高く取ることができないため、防振プレート（弾性体）を増速機の据付け面全面に敷くなど大きくとる必要があり、さらに弾性体（防振プレート）を増速機の下部に設けるために運転中の熱伸びおよび伝達トルクで増速機１と発電機６との間の軸アラインメントに大きな狂いを生じるという課題がある。
【０００７】
また図７〜９に示した従来の防振支持構造のものでは、増速機１の重量を支える防振ブッシュ３と軸方向の動きを止める位置決め用ブッシュ４とを別々に設ける必要があり、さらに防振ブッシュ３と位置決め用ブッシュ10とでは取付け位置および取付け高さが異なるため、運転中の熱伸びおよび片側のみの支持である等の理由によって、支持力のアンバランスが発生し、伝達トルクにより増速機１と発電機６との軸アラインメントに大きな狂いが生じるという課題がある。
本発明は、従来の防振支持構造におけるこれらの課題を解決しようとするものである。
【０００８】
【課題を解決するための手段】
本発明は、増速機の支持装置において、上記増速機の四隅部に、同一レベルに４本の支持脚を水平方向に突設し、同各支持脚を実質上同一長さに設定するとともに同各支持脚の各先端部を上記増速機の支持台としての架台にそれぞれ防振ブッシュを介して取付け、上記４本の支持脚のうちの上記増速機の高速側の回転軸に関し対称に配設された２本の支持脚を、それぞれ取付け方向を同増速機の高速側の回転軸に対し傾けて上記増速機に取付けることにより課題解決の手段としている。
【０００９】
本発明では、増速機の重量の支持および架台との結合を防振ブッシュを介して行なうようにしたため、機械音（振動）は減衰して架台へ伝達され、架台における機械音は低減される。
【００１０】
また、４本の実質上同一長さの支持脚を増速機の同一レベル位置に水平方向に突設したことにより、運転中の熱伸びを均等にすることができ、また４本の支持脚のうちの増速機の高速側の回転軸に関して対称な２本の支持脚の取付け方向を増速機の回転軸中心に対して傾けたことにより、増速機の軸方向の動きおよび回転トルクによる振れ回りを防止できる。
【００１１】
【発明の実施の形態】
以下、図面により本発明の一実施形態としての風力発電用増速機の防振支持装置について説明すると、図１はその装置全体を示す側面図、図２はその増速機の防振支持装置を示す斜視図、図３は図２のＡ矢部を拡大して示す正面図である。
なお図１〜３中図４〜９と同じ符号はほぼ同一の部材を示している。
【００１２】
この実施形態では、風力発電装置に適用した場合を例としており、この風力発電装置は、発電機６と風力装置の回転力を増速して発電機６を駆動する増速機１とをそなえて構成されている。
【００１３】
図１中の符号20は風車（図示せず）の回転力の取出し部を、符号21はカップリングを示しており、このカップリング21の出力軸21ａに増速機１の入力軸１ｂが接続されている。そして、増速機１は架台５に防振的に取付けられている。
【００１４】
すなわち、図２に示すように、増速機１の四隅部の同一レベル上に、４本の支持脚２ａ，２ｂ，２ｃ，２ｄが増速機１の軸方向（図１の左右方向）と直交する方向にかつ水平に延在するように取付けられている。各支持脚２ａ〜２ｄはすべて実質上同一長さに形成されるとともに、各支持脚２ａ〜２ｄの各先端部に形成された円孔に、リング状の防振ブッシュ３がそれぞれ装着されている。
ここで、実質上同一長さとは、各支持脚２ａ〜２ｄの増速機１への取付け部から後述の軸15の中心までの直線距離が、同じ長さであるということである。
防振ブッシュ３は、図３に示すようにリング状のゴム等の弾性体３ａと同弾性体３ａの内外周を囲む金属製の環体３ｂ，３ｃとで形成されている。
【００１５】
一方、取付け金具13は架台５に取付けられる基板部13ｃと基板部13ｃに垂直状に立設された左右一対の腕部13ａ, 13ｂとで構成されている。そして、腕部13ａ，13ｂの間に軸15が架設され、防振ブッシュ３の中心穴に軸15を挿通することで、各支持脚２ａ〜２ｄすなわち増速機１を架台５に防振的に支持する防振支持装置を構成している。
【００１６】
上述の構成により、増速機１と架台５とは防振ブッシュ３を介して固定されているため、増速機１で発生した大部分の機械音（振動エネルギー）は防振ブッシュ３で大幅に減衰されて架台５へ伝達されることとなり、架台５への個体伝播音を大幅に低減できる。
【００１７】
防振ブッシュ３のゴム３ａの厚さを変えて防振ブッシュ３自身の剛性を変えることで、防振ブッシュ３で吸収（減衰）できる周波数帯を選択でき、特に人に不快感を与える歯車の噛み合い音などの高周波帯域の振動（音）を低減することができる。
【００１８】
また、防振ブッシュ３はゴム３ａの内外周を金属環３ｂ，３ｃで囲う構成となっているため、ゴム３ａの変形量を金属環３ｂ，３ｃで拘束でき、防振ブッシュ３の剛性を増加させることができる。
【００１９】
また、４本の支持脚２ａ〜２ｄが同一水平面上に突設されているため、運転中の熱伸びによるミスアラインメント（増速機１と発電機６との軸アラインメントの狂い）を吸収でき、さらに４本の支持脚２ａ〜２ｄは実質上同一長さに形成されているため支持半径が同一となり、伝達トルクのアンバランスによるミスアラインメントを吸収できる。
【００２０】
さらに、同一レベル位置の４カ所に設けた支持脚２ａ〜２ｄのうち、伝達トルクの小さい高速側の回転軸１ａに関し対称に配設された２本の支持脚２ｃ，２ｄに曲げ角部２ｆを形成して、増速機１に対する取付け方向を増速機１の中心側に向ける構成、つまり増速機１の高速側の回転軸１ａに対して取付け部２ｅを角度ａだけ傾けて増速機１に取付ける構成とすることにより、風車のコーンアングル（ナセルの傾き）による増速機１の軸方向の移動止めおよび伝達トルク（回転力）による振れ回りを止めることができる。
【００２１】
【発明の効果】
以上詳述したように、本発明の増速機の防振支持装置によれば次のような効果ないし利点が得られる。
(1) 実質上同一長さの４本の支持脚を増速機の四隅部に、同一レベルに水平方向に突設したことにより、運転中の熱伸びを均等にすることができ、増速機と発電機との軸アラインメントの狂いを一定に制限することができる。
(2) 増速機の重量の支持および架台との結合を防振ブッシュを介して行なうようにしたため、機械音（振動）は減衰して架台へ伝達され、架台における機械音を低減することができる。
(3) ４本の支持脚のうちの増速機の高速側の回転軸に関して対称な２本の支持脚の取付け方向を増速機の高速側の回転軸に対し傾けたことにより、運転中の熱延びを吸収して増速機の軸方向の動きおよび回転トルクによる振れ回りを防止できる。
【図面の簡単な説明】
【図１】  本発明の一実施形態としての風力発電用増速機の防振支持装置をそなえた風力発電装置の全体を示す側面図。
【図２】  同増速機の防振支持装置を示す斜視図。
【図３】  図２のＡ矢部を拡大して示す正面図。
【図４】  従来の風力発電装置の全体を示す側面図。
【図５】  図４のＢ矢部を拡大して示す側面図。
【図６】  図５のＣ矢部を拡大して示す断面図。
【図７】  従来の他の風力発電装置用増速機の防振支持装置を示す平面図。
【図８】  同側面図。
【図９】  同正面図。
【符号の説明】
１  増速機
１ａ  増速機の出力軸（高速側の回転軸）
１ｂ  増速機の入力軸
２ａ，２ｂ，２ｃ，２ｄ  支持脚
２ｅ  取付け部
２ｆ  曲げ部
３  防振ブッシュ
３ａ  リング状の弾性体
３ｂ  金属製の環体
５  架台
６  発電機
10  位置決め用脚
13  取付け金具
13ａ, 13ｂ  腕部
15  軸
【図１】
0003679896.tif 000002
【図２】
0003679896.tif 000003
【図３】
0003679896.tif 000004
【図４】
0003679896.tif 000005
【図５】
0003679896.tif 000006
【図６】
0003679896.tif 000007
【図７】
0003679896.tif 000008
【図８】
0003679896.tif 000009
【図９】
0003679896.tif 000010